(57)【特許請求の範囲】
【請求項１】
複数のページよりなる原稿の画像を読み取る画像読取手段と、
前記画像読取手段にて原稿の全ページの画像の読み取りを完了する前に、前記画像読取手段にて読み取りを完了したページの画像を読み取り順に表示部にプレビュー表示するリアルタイムプレビュー表示を行う第１のプレビュー表示手段と、
ユーザーからの指示を受け付ける指示受付手段と、
前記指示受付手段にて指示を受け付けた場合に、前記画像読取手段による画像の読み取りを停止させる読取停止手段と、
前記読取停止手段にて停止させた場合に、前記画像読取手段にて最後に読み取りを完了したページの画像を前記表示部にプレビュー表示する第２のプレビュー表示手段とを備えた、画像読取装置。
【請求項２】
複数のページよりなる原稿の画像を読み取る画像読取手段と、
前記画像読取手段にて原稿の全ページの画像の読み取りを完了する前に、前記画像読取手段にて読み取りを完了したページの画像を読み取り順に表示部にプレビュー表示するリアルタイムプレビュー表示を行う第１のプレビュー表示手段と、
前記画像読取手段による画像の読み取りを停止させる読取停止手段と、
前記読取停止手段にて停止させた場合に、前記画像読取手段にて最後に読み取りを完了したページの画像を前記表示部にプレビュー表示する第２のプレビュー表示手段とを備え、
前記読取停止手段にて停止させた場合に、前記第２のプレビュー表示手段は、前記第１のプレビュー表示手段にて未だ表示していないページのアイコンを前記表示部にさらに表示する、画像読取装置。
【請求項３】
複数のページよりなる原稿の画像を読み取る画像読取手段と、
前記画像読取手段にて原稿の全ページの画像の読み取りを完了する前に、前記画像読取手段にて読み取りを完了したページの画像を読み取り順に表示部にプレビュー表示するリアルタイムプレビュー表示を行う第１のプレビュー表示手段と、
前記画像読取手段による画像の読み取りを停止させる読取停止手段と、
前記読取停止手段にて停止させた場合に、前記画像読取手段にて最後に読み取りを完了したページの画像を前記表示部にプレビュー表示する第２のプレビュー表示手段と、
ユーザーからの指示を受け付ける指示受付手段とを備え、
前記指示受付手段にて指示を受け付けた場合に、前記読取停止手段は画像の読み取りを停止させ、かつ前記第２のプレビュー表示手段は、前記表示部にプレビュー表示する画像を、前記第１のプレビュー表示手段にて表示している画像から前記最後に読み取りを完了したページの画像に切り替える、画像読取装置。
【請求項４】
前記指示受付手段は、前記第１のプレビュー表示手段によるリアルタイムプレビュー表示を継続させつつ、画像の読み取りを停止させるキーの押下を受け付ける、請求項３に記載の画像読取装置。
【請求項５】
複数のページよりなる原稿の画像を読み取る画像読取手段と、
前記画像読取手段にて原稿の全ページの画像の読み取りを完了する前に、前記画像読取手段にて読み取りを完了したページの画像を読み取り順に表示部にプレビュー表示するリアルタイムプレビュー表示を行う第１のプレビュー表示手段と、
前記画像読取手段による画像の読み取りを停止させる読取停止手段と、
前記読取停止手段にて停止させた場合に、前記画像読取手段にて最後に読み取りを完了したページの画像を前記表示部にプレビュー表示する第２のプレビュー表示手段と、
前記第１のプレビュー表示手段によるリアルタイムプレビュー表示と、前記画像読取手段による画像の読み取りとの両方を停止させる指示を受け付ける全停止受付手段とを備え、
前記全停止受付手段にて停止させる動作を受け付けた場合に、前記第２のプレビュー表示手段は、前記第１のプレビュー表示手段によるリアルタイムプレビュー表示を停止させ、かつ前記第１のプレビュー表示手段にて最後に表示した画像と、前記最後に読み取りを完了したページの画像との両方を同時にプレビュー表示する、画像読取装置。
【請求項６】
前記第２のプレビュー表示手段が、前記第１のプレビュー表示手段にて最後に表示した画像と、前記最後に読み取りを完了したページの画像との両方をプレビュー表示している場合に、２つの画像のうち一方の選択を前記表示部を通じて受け付ける第１の画像選択受付手段をさらに備え、
前記第１の画像選択受付手段にて選択を受け付けた場合に、前記第２のプレビュー表示手段は、２つの画像を同時にプレビュー表示することを停止し、かつ前記第１の画像選択受付手段にて選択を受け付けなかった画像を前記表示部から消去する、請求項５に記載の画像読取装置。
【請求項７】
複数のページよりなる原稿の画像を読み取る画像読取手段と、
前記画像読取手段にて原稿の全ページの画像の読み取りを完了する前に、前記画像読取手段にて読み取りを完了したページの画像を読み取り順に表示部にプレビュー表示するリアルタイムプレビュー表示を行う第１のプレビュー表示手段と、
前記画像読取手段による画像の読み取りを停止させる読取停止手段と、
前記読取停止手段にて停止させた場合に、前記画像読取手段にて最後に読み取りを完了したページの画像を前記表示部にプレビュー表示する第２のプレビュー表示手段とを備え、
前記読取停止手段にて停止させた場合に、前記第２のプレビュー表示手段は、前記第１のプレビュー表示手段にて最後にプレビュー表示した画像と、前記最後に読み取りを完了したページの画像とを交互にプレビュー表示する、画像読取装置。
【請求項８】
前記第２のプレビュー表示手段が２つの画像を交互にプレビュー表示している場合に、２つの画像のうち一方の選択を前記表示部を通じて受け付ける第３の画像選択受付手段をさらに備え、
前記第３の画像選択受付手段にて選択を受け付けた場合に、前記第２のプレビュー表示手段は、２つの画像を交互にプレビュー表示することを停止し、かつ前記第３の画像選択受付手段にて選択を受け付けた画像を表示し続ける、請求項７に記載の画像読取装置。
【請求項９】
複数のページよりなる原稿の画像を読み取る画像読取手段と、
前記画像読取手段にて原稿の全ページの画像の読み取りを完了する前に、前記画像読取手段にて読み取りを完了したページの画像を読み取り順に表示部にプレビュー表示するリアルタイムプレビュー表示を行う第１のプレビュー表示手段と、
前記画像読取手段による画像の読み取りを停止させる読取停止手段と、
前記読取停止手段にて停止させた場合に、前記画像読取手段にて最後に読み取りを完了したページの画像を前記表示部にプレビュー表示する第２のプレビュー表示手段とを備え、
前記読取停止手段にて停止させた場合に、前記第２のプレビュー表示手段は、前記画像読取手段にて読み取りを完了したページの画像であって、前記第１のプレビュー表示手段にて未だプレビュー表示していない全ての画像を、前記第１のプレビュー表示手段にてプレビュー表示する画像のサイズよりも小さいサイズに縮小してプレビュー表示する、画像読取装置。
【請求項１０】
前記第２のプレビュー表示手段は、縮小してプレビュー表示する画像のサイズが所定サイズ以下となる場合には、画像を小さいサイズに縮小してプレビュー表示する代わりに、互いに重ねてプレビュー表示する、請求項９に記載の画像読取装置。
【請求項１１】
複数のページよりなる原稿の画像を読み取る画像読取手段と、
前記画像読取手段にて原稿の全ページの画像の読み取りを完了する前に、前記画像読取手段にて読み取りを完了したページの画像を読み取り順に表示部にプレビュー表示するリアルタイムプレビュー表示を行う第１のプレビュー表示手段と、
前記画像読取手段による画像の読み取りを停止させる読取停止手段と、
前記読取停止手段にて停止させた場合に、前記画像読取手段にて最後に読み取りを完了したページの画像を前記表示部にプレビュー表示する第２のプレビュー表示手段と、
前記読取停止手段にて停止させた場合に、前記画像読取手段にて読み取りを完了したページの画像の中からのプレビュー表示する画像の選択を受け付ける、第２の画像選択受付手段とを備え、
前記第２のプレビュー表示手段は、前記第２の画像選択受付手段にて選択を受け付けた画像を前記表示部にプレビュー表示するマニュアルプレビュー表示を行う、画像読取装置。
【請求項１２】
前記第２の画像選択受付手段にて選択を受け付けた画像の削除の指示を受け付ける削除受付手段と、
前記削除受付手段にて削除を受け付けた画像のデータを削除する画像データ削除手段とをさらに備えた、請求項１１に記載の画像読取装置。
【請求項１３】
前記第２のプレビュー表示手段がマニュアルプレビュー表示を行っている場合に、原稿の画像の再読み込みの指示を受け付ける再読み込み受付手段と、
前記再読み込み受付手段が指示を受け付けた場合に、原稿の画像を読み取る画像再読取手段とをさらに備え、
前記画像再読取手段が原稿の画像の読み取りを開始した場合に、前記第１のプレビュー表示手段は、前記第２のプレビュー表示手段によるマニュアルプレビュー表示を停止させ、かつリアルタイムプレビュー表示を再開し、かつ前記画像再読取手段にて読み取った画像を前記画像読取手段にて読み取った画像の後にリアルタイムプレビュー表示する、請求項１１または１２に記載の画像読取装置。
【請求項１４】
複数のページよりなる原稿の画像を読み取る画像読取手段と、
前記画像読取手段にて原稿の全ページの画像の読み取りを完了する前に、前記画像読取手段にて読み取りを完了したページの画像を読み取り順に表示部にプレビュー表示するリアルタイムプレビュー表示を行う第１のプレビュー表示手段と、
前記画像読取手段による画像の読み取りを停止させる読取停止手段と、
前記読取停止手段にて停止させた場合に、前記画像読取手段にて最後に読み取りを完了したページの画像を前記表示部にプレビュー表示する第２のプレビュー表示手段とを備え、
画像の読み取りを停止させるキーの押下を受け付けた時に読み取っていた画像の読み取りが完了した後で、前記第２のプレビュー表示手段は、前記表示部にプレビュー表示する画像を、前記第１のプレビュー表示手段にてプレビュー表示している画像から前記最後に読み取りを完了したページの画像に切り替える、画像読取装置。
【請求項１５】
前記第２のプレビュー表示手段は、前記最後に読み取りを完了したページの画像を他の画像よりも優先してプレビュー表示する、請求項１〜１４のいずれかに記載の画像読取装置。
【請求項１６】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
ユーザーからの指示を受け付ける指示受付ステップと、
前記指示受付ステップにて指示を受け付けた場合に、前記画像読取ステップにおける画像の読み取りを停止させる読取停止ステップと、
前記読取停止ステップにて停止させた場合に、前記画像読取ステップにおいて最後に読み取りを完了したページの画像を前記表示部にプレビュー表示する第２のプレビュー表示ステップとを備えた、画像読取装置の制御方法。
【請求項１７】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップとを備え、
前記読取停止ステップにて停止させた場合に、前記第２のプレビュー表示ステップにおいて、前記第１のプレビュー表示ステップにて未だ表示していないページのアイコンを前記表示部にさらに表示する、画像読取装置の制御方法。
【請求項１８】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップと、
ユーザーからの指示を受け付ける指示受付ステップとを備え、
前記指示受付ステップにて指示を受け付けた場合に、前記読取停止ステップにおいて画像の読み取りを停止させ、かつ前記第２のプレビュー表示ステップにおいて、前記表示部にプレビュー表示する画像を、前記第１のプレビュー表示ステップにて表示している画像から前記最後に読み取りを完了したページの画像に切り替える、画像読取装置の制御方法。
【請求項１９】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップと、
前記第１のプレビュー表示ステップにおけるリアルタイムプレビュー表示と、前記画像読取ステップにおける画像の読み取りとの両方を停止させる指示を受け付ける全停止受付ステップとを備え、
前記全停止受付ステップにて停止させる動作を受け付けた場合に、前記第２のプレビュー表示ステップにおいて、前記第１のプレビュー表示ステップによるリアルタイムプレビュー表示を停止させ、かつ前記第１のプレビュー表示ステップにて最後に表示した画像と、前記最後に読み取りを完了したページの画像との両方を同時にプレビュー表示する、画像読取装置の制御方法。
【請求項２０】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップとを備え、
前記読取停止ステップにて停止させた場合に、前記第２のプレビュー表示ステップにおいて、前記第１のプレビュー表示ステップにて最後にプレビュー表示した画像と、前記最後に読み取りを完了したページの画像とを交互にプレビュー表示する、画像読取装置の制御方法。
【請求項２１】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップとを備え、
前記読取停止ステップにて停止させた場合に、前記第２のプレビュー表示ステップにおいて、前記画像読取ステップにて読み取りを完了したページの画像であって、前記第１のプレビュー表示ステップにて未だプレビュー表示していない全ての画像を、前記第１のプレビュー表示ステップにてプレビュー表示する画像のサイズよりも小さいサイズに縮小してプレビュー表示する、画像読取装置の制御方法。
【請求項２２】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップと、
前記読取停止ステップにて停止させた場合に、前記画像読取ステップにて読み取りを完了したページの画像の中からのプレビュー表示する画像の選択を受け付ける、第２の画像選択受付ステップとを備え、
前記第２のプレビュー表示ステップにおいて、前記第２の画像選択受付ステップにて選択を受け付けた画像を前記表示部にプレビュー表示するマニュアルプレビュー表示を行う、画像読取装置の制御方法。
【請求項２３】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップとを備え、
画像の読み取りを停止させるキーの押下を受け付けた時に読み取っていた画像の読み取りが完了した後で、前記第２のプレビュー表示ステップにおいて、前記表示部にプレビュー表示する画像を、前記第１のプレビュー表示ステップにてプレビュー表示している画像から前記最後に読み取りを完了したページの画像に切り替える、画像読取装置の制御方法。
【請求項２４】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
ユーザーからの指示を受け付ける指示受付ステップと、
前記指示受付ステップにて指示を受け付けた場合に、前記画像読取ステップにおける画像の読み取りを停止させる読取停止ステップと、
前記読取停止ステップにて停止させた場合に、前記画像読取ステップにおいて最後に読み取りを完了したページの画像を前記表示部にプレビュー表示する第２のプレビュー表示ステップとをコンピューターに実行させる、画像読取装置の制御プログラム。
【請求項２５】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップとをコンピューターに実行させ、
前記読取停止ステップにて停止させた場合に、前記第２のプレビュー表示ステップにおいて、前記第１のプレビュー表示ステップにて未だ表示していないページのアイコンを前記表示部にさらに表示する、画像読取装置の制御プログラム。
【請求項２６】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップと、
ユーザーからの指示を受け付ける指示受付ステップとをコンピューターに実行させ、
前記指示受付ステップにて指示を受け付けた場合に、前記読取停止ステップにおいて画像の読み取りを停止させ、かつ前記第２のプレビュー表示ステップにおいて、前記表示部にプレビュー表示する画像を、前記第１のプレビュー表示ステップにて表示している画像から前記最後に読み取りを完了したページの画像に切り替える、画像読取装置の制御プログラム。
【請求項２７】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップと、
前記第１のプレビュー表示ステップにおけるリアルタイムプレビュー表示と、前記画像読取ステップにおける画像の読み取りとの両方を停止させる指示を受け付ける全停止受付ステップとをコンピューターに実行させ、
前記全停止受付ステップにて停止させる動作を受け付けた場合に、前記第２のプレビュー表示ステップにおいて、前記第１のプレビュー表示ステップによるリアルタイムプレビュー表示を停止させ、かつ前記第１のプレビュー表示ステップにて最後に表示した画像と、前記最後に読み取りを完了したページの画像との両方を同時にプレビュー表示する、画像読取装置の制御プログラム。
【請求項２８】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップとをコンピューターに実行させ、
前記読取停止ステップにて停止させた場合に、前記第２のプレビュー表示ステップにおいて、前記第１のプレビュー表示ステップにて最後にプレビュー表示した画像と、前記最後に読み取りを完了したページの画像とを交互にプレビュー表示する、画像読取装置の制御プログラム。
【請求項２９】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップとをコンピューターに実行させ、
前記読取停止ステップにて停止させた場合に、前記第２のプレビュー表示ステップにおいて、前記画像読取ステップにて読み取りを完了したページの画像であって、前記第１のプレビュー表示ステップにて未だプレビュー表示していない全ての画像を、前記第１のプレビュー表示ステップにてプレビュー表示する画像のサイズよりも小さいサイズに縮小してプレビュー表示する、画像読取装置の制御プログラム。
【請求項３０】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップと、
前記読取停止ステップにて停止させた場合に、前記画像読取ステップにて読み取りを完了したページの画像の中からのプレビュー表示する画像の選択を受け付ける、第２の画像選択受付ステップとをコンピューターに実行させ、
前記第２のプレビュー表示ステップにおいて、前記第２の画像選択受付ステップにて選択を受け付けた画像を前記表示部にプレビュー表示するマニュアルプレビュー表示を行う、画像読取装置の制御プログラム。
【請求項３１】
複数のページよりなる原稿の画像を読み取る画像読取ステップと、
前記画像読取ステップにて原稿の全ページの画像の読み取りを完了する前に、前記画像読取ステップにて読み取りを完了したページの画像を読み取り順に表示部にプレビュー表示するリアルタイムプレビュー表示を行う第１のプレビュー表示ステップと、
前記画像読取ステップにおける画像の読み取りを停止させる読取停止ステップと、
前記読取停止ステップにて停止させた場合に、前記画像読取ステップにて最後に読み取りを完了したページの画像を前記表示部にプレビュー表示する第２のプレビュー表示ステップとをコンピューターに実行させ、
画像の読み取りを停止させるキーの押下を受け付けた時に読み取っていた画像の読み取りが完了した後で、前記第２のプレビュー表示ステップにおいて、前記表示部にプレビュー表示する画像を、前記第１のプレビュー表示ステップにてプレビュー表示している画像から前記最後に読み取りを完了したページの画像に切り替える、画像読取装置の制御プログラム。
【発明の詳細な説明】
【技術分野】
【０００１】
本発明は、画像読取装置、画像読取装置の制御方法、および画像読取装置の制御プログラムに関し、より特定的には、リアルタイムプレビュー機能を持つ画像読取装置、画像読取装置の制御方法、および画像読取装置の制御プログラムに関する。
【背景技術】
【０００２】
電子写真式の画像形成装置には、スキャナー機能、ファクシミリ機能、複写機能、プリンターとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
近年、画像形成装置は、画像読取装置を備えるスキャナー、複写機、プリンター、ファクシミリ、またはデジタル複合機などとして、オフィスや家庭などに急速に普及している。画像読取装置の中には、複数の原稿を一枚ずつ画像読取部に供給する自動原稿送り装置（ＡＤＦ：Ａｕｔｏ  Ｄｏｃｕｍｅｎｔ  Ｆｅｅｄｅｒ）と、原稿の表面および裏面の画像を読み取る画像読取部（イメージセンサ）とを含むものがある。この画像読取装置によれば、複数枚からなる原稿を順に自動で画像読取部へ供給し、原稿の表面および裏面の原稿を同時に読み取ることができる。
【０００４】
上記のような画像読取装置の中には、リアルタイムプレビュー機能を有するものがある。リアルタイムプレビュー機能は、複数のページよりなる原稿を読み込む場合に、原稿の全ページの読み込みを完了する前に、読み込みを完了したページの画像のプレビュー表示を自動的に開始する機能である。リアルタイムプレビュー機能では、読み込んだページ順で、各ページの画像が画像読取装置の操作パネルなどにプレビュー表示される。プレビュー表示される画像が切り替わる時間間隔には、プレビュー表示される画像をユーザーが確認するのに十分な時間間隔（たとえば１秒間隔）が設定される。
【０００５】
プレビュー表示に関する技術は、たとえば下記特許文献１〜３に開示されている。下記特許文献１には、スキャナーで読み取った原稿のプレビュー画像を、その原稿の次の原稿の読み取りを開始するまでの間に作成してメモリに保管し、プレビュー表示の要求があった場合に、メモリに保管したプレビュー画像を表示する技術が開示されている。
【０００６】
下記特許文献２には、画像処理装置の表示部に、画像出力処理中のページの画像出力処理前の部分と画像出力処理後の部分とを異なる表示態様で表示するとともに、画像入力処理中のページの画像入力処理前の部分と画像入力処理後の部分とを異なる表示態様で表示することにより、画像処理プロセス全体での画像出力処理および画像入力処理がどこまで進んでいるかを容易に把握することができる技術が開示されている。
【０００７】
下記特許文献３には、リーダ部にて原稿画像を読み取り、プリンター部にて画像を形成する際に、表示装置に表示して確認できるプレビュー機能を有する画像形成システムにおいて、読み取った原稿画像の画像形成動作に連動して、形成された画像データに対応する画像を表示装置に表示させる技術が開示されている。
【先行技術文献】
【特許文献】
【０００８】
【特許文献１】特開２００９−２２５１５７号公報
【特許文献２】特開２００７−２５９３５０号公報
【特許文献３】特開平１１−５５４３３号公報
【発明の概要】
【発明が解決しようとする課題】
【０００９】
しかしながら、従来の技術では、原稿の読み込みを効率的に行うことができないという問題があった。これについて以下に説明する。
【００１０】
図１４は、従来の画像読取装置において、リアルタイムプレビュー機能を設定して原稿の画像の読み取りを行っている場合に、画像の読み取りを停止させたときの、原稿の読み込みの停止位置と、画像読取装置に表示される画像の停止位置との一例を示す図である。
【００１１】
図１４を参照して、ユーザーが、読み込んだページの画像のプレビュー表示（リアルタイムプレビュー表示）により仕上がりを確認しながら、原稿の読み込み作業を行っている場合を想定する。ユーザーは、ＡＤＦ上の原稿（読み込み前の原稿）が傾いた状態で画像読取部に供給されていることに気がつくことがある。この場合ユーザーは、画像読取装置の操作パネル上にある停止釦を押下し、原稿の読み込み作業を停止する。
【００１２】
たとえば１〜１３ページよりなる原稿の読み込みを画像読取装置が行っている状態で、７ページが読み込まれた後にユーザーが原稿の異常に気づいて、８ページの読み込みを行っている時に停止釦を押下した場合を想定する。この場合、８ページの原稿の読み込みを完了した時点で画像読取装置は画像の読み取りを停止する。その結果、原稿の１〜８ページの読み込みが完了し、かつ原稿の９〜１３ページの読み込みが完了していない状態となる。
【００１３】
停止釦が押下されると、画像読取装置は画像の読み取りとともにリアルタイムプレビュー表示も停止させる。リアルタイムプレビュー表示のページ更新速度は、原稿の画像の読み取り速度よりも遅いため、画像の読み取りの停止位置とリアルタイムプレビュー表示の停止位置とは一致しない。画像読取装置は、たとえば３ページの原稿の画像をプレビュー表示した状態でリアルタイムプレビュー表示を停止する。その結果、原稿の４〜８ページについては、読み込みが完了しているがプレビュー表示がされていない状態となる。
【００１４】
従って、読み込まれた原稿の異常に気がついてユーザーが停止釦を押下した場合、画像読取装置の操作パネルには異常の疑いのあるページは表示されず、停止釦を押下した時の画像がプレビュー表示されたままになる。このためユーザーは、異常の疑いのあるページのプレビュー画像を確認するために、操作パネルをマニュアル操作することにより、異常の疑いのあるページまでプレビュー画像を順に切り替える必要があった。
【００１５】
この場合、リアルタイムプレビュー表示を再開させれば、異常の疑いのあるページの画像を確認することができる。しかし、プレビュー表示を再開させると、読み込み動作も再開する。このため、異常の疑いのあるページの画像を確認した結果異常があった場合には、そのページより後のページの読み込み動作が無駄になる可能性がある。
【００１６】
上記のような事態を回避するため、画像読取装置の読み込み動作中に停止釦が押下された場合には、読み込み動作のみを停止させ、リアルタイムプレビュー機能によるプレビュー表示は停止せず継続させる対応策が考えられる。しかしこの対応策では、以下のような問題が生じ得る。
【００１７】
第１に、原稿のどのページから傾いた状態で給紙されたのか（どのページから異常が発生したのか）ユーザーは把握していないため、リアルタイムプレビュー表示では画像の表示時間が短くて詳細に確認することができず、ページの異常を見逃しやすい。
【００１８】
第２に、原稿のページ数が多く、かつ異常の疑いのあるページが、現在リアルタイムプレビュー表示されている画像のページよりもずっと後である場合には、異常の疑いのあるページの画像がプレビュー表示されるまでにプレビュー表示される画像のページ数が大量になる。このため、異常の疑いのあるページの特定にかかる時間を即座に把握することが困難であり、読み込みを最初のページからやり直した方がいいのか、異常の疑いのあるページの画像をプレビュー表示により確認した方がいいのかを即座に判断することが困難である。
【００１９】
第３に、原稿が傾いた状態で給紙されたように見えても、読み取った原稿の画像をプレビュー表示により確認した結果、実際には正常であり、そのまま読み込みを継続してもよい場合もある。このような場合に、傾いた状態で給紙されたように見えたページがプレビュー表示されるまでに時間がかかり、読み込みに時間がかかる。
【００２０】
本発明は、上記課題を解決するためのものであり、その目的は、原稿の読み込みを効率的に行うことのできる画像読取装置、画像読取装置の制御方法、および画像読取装置の制御プログラムを提供することである。
【課題を解決するための手段】
【００２１】
本発明の一の局面に従う画像読取装置は、複数のページよりなる原稿の画像を読み取る画像読取手段と、画像読取手段にて原稿の全ページの画像の読み取りを完了する前に、画像読取手段にて読み取りを完了したページの画像を読み取り順に表示部にプレビュー表示するリアルタイムプレビュー表示を行う第１のプレビュー表示手段と、ユーザーからの指示を受け付ける指示受付手段と、指示受付手段にて指示を受け付けた場合に、画像読取手段による画像の読み取りを停止させる読取停止手段と、読取停止手段にて停止させた場合に、画像読取手段にて最後に読み取りを完了したページの画像を表示部にプレビュー表示する第２のプレビュー表示手段とを備える。
【００２３】
本発明の他の局面に従う画像読取装置は、複数のページよりなる原稿の画像を読み取る画像読取手段と、画像読取手段にて原稿の全ページの画像の読み取りを完了する前に、画像読取手段にて読み取りを完了したページの画像を読み取り順に表示部にプレビュー表示するリアルタイムプレビュー表示を行う第１のプレビュー表示手段と、画像読取手段による画像の読み取りを停止させる読取停止手段と、読取停止手段にて停止させた場合に、画像読取手段にて最後に読み取りを完了したページの画像を表示部にプレビュー表示する第２のプレビュー表示手段とを備え、読取停止手段にて停止させた場合に、第２のプレビュー表示手段は、第１のプレビュー表示手段にて未だ表示していないページのアイコンを表示部にさらに表示する。
【００２４】
本発明の他の局面に従う画像読取装置は、複数のページよりなる原稿の画像を読み取る画像読取手段と、画像読取手段にて原稿の全ページの画像の読み取りを完了する前に、画像読取手段にて読み取りを完了したページの画像を読み取り順に表示部にプレビュー表示するリアルタイムプレビュー表示を行う第１のプレビュー表示手段と、画像読取手段による画像の読み取りを停止させる読取停止手段と、読取停止手段にて停止させた場合に、画像読取手段にて最後に読み取りを完了したページの画像を表示部にプレビュー表示する第２のプレビュー表示手段と、ユーザーからの指示を受け付ける指示受付手段とを備え、指示受付手段にて指示を受け付けた場合に、読取停止手段は画像の読み取りを停止させ、かつ第２のプレビュー表示手段は、表示部にプレビュー表示する画像を、第１のプレビュー表示手段にて表示している画像から最後に読み取りを完了したページの画像に切り替える。
【００２５】
上記画像読取装置において好ましくは、指示受付手段は、第１のプレビュー表示手段によるリアルタイムプレビュー表示を継続させつつ、画像の読み取りを停止させるキーの押下を受け付ける。
【００２６】
本発明のさらに他の局面に従う画像読取装置は、複数のページよりなる原稿の画像を読み取る画像読取手段と、画像読取手段にて原稿の全ページの画像の読み取りを完了する前に、画像読取手段にて読み取りを完了したページの画像を読み取り順に表示部にプレビュー表示するリアルタイムプレビュー表示を行う第１のプレビュー表示手段と、画像読取手段による画像の読み取りを停止させる読取停止手段と、読取停止手段にて停止させた場合に、画像読取手段にて最後に読み取りを完了したページの画像を表示部にプレビュー表示する第２のプレビュー表示手段と、第１のプレビュー表示手段によるリアルタイムプレビュー表示と、画像読取手段による画像の読み取りとの両方を停止させる指示を受け付ける全停止受付手段とを備え、全停止受付手段にて停止させる動作を受け付けた場合に、第２のプレビュー表示手段は、第１のプレビュー表示手段によるリアルタイムプレビュー表示を停止させ、かつ第１のプレビュー表示手段にて最後に表示した画像と、最後に読み取りを完了したページの画像との両方を同時にプレビュー表示する。
【００２７】
上記画像読取装置において好ましくは、第２のプレビュー表示手段が、第１のプレビュー表示手段にて最後に表示した画像と、最後に読み取りを完了したページの画像との両方をプレビュー表示している場合に、２つの画像のうち一方の選択を表示部を通じて受け付ける第１の画像選択受付手段をさらに備え、第１の画像選択受付手段にて選択を受け付けた場合に、第２のプレビュー表示手段は、２つの画像を同時にプレビュー表示することを停止し、かつ第１の画像選択受付手段にて選択を受け付けなかった画像を表示部から消去する。
【００３１】
本発明のさらに他の局面に従う画像読取装置は、複数のページよりなる原稿の画像を読み取る画像読取手段と、画像読取手段にて原稿の全ページの画像の読み取りを完了する前に、画像読取手段にて読み取りを完了したページの画像を読み取り順に表示部にプレビュー表示するリアルタイムプレビュー表示を行う第１のプレビュー表示手段と、画像読取手段による画像の読み取りを停止させる読取停止手段と、読取停止手段にて停止させた場合に、画像読取手段にて最後に読み取りを完了したページの画像を表示部にプレビュー表示する第２のプレビュー表示手段とを備え、読取停止手段にて停止させた場合に、第２のプレビュー表示手段は、第１のプレビュー表示手段にて最後にプレビュー表示した画像と、最後に読み取りを完了したページの画像とを交互にプレビュー表示する。
【００３２】
上記画像読取装置において好ましくは、第２のプレビュー表示手段が２つの画像を交互にプレビュー表示している場合に、２つの画像のうち一方の選択を表示部を通じて受け付ける第３の画像選択受付手段をさらに備え、第３の画像選択受付手段にて選択を受け付けた場合に、第２のプレビュー表示手段は、２つの画像を交互にプレビュー表示することを停止し、かつ第３の画像選択受付手段にて選択を受け付けた画像を表示し続ける。
【００３３】
本発明のさらに他の局面に従う画像読取装置は、複数のページよりなる原稿の画像を読み取る画像読取手段と、画像読取手段にて原稿の全ページの画像の読み取りを完了する前に、画像読取手段にて読み取りを完了したページの画像を読み取り順に表示部にプレビュー表示するリアルタイムプレビュー表示を行う第１のプレビュー表示手段と、画像読取手段による画像の読み取りを停止させる読取停止手段と、読取停止手段にて停止させた場合に、画像読取手段にて最後に読み取りを完了したページの画像を表示部にプレビュー表示する第２のプレビュー表示手段とを備え、読取停止手段にて停止させた場合に、第２のプレビュー表示手段は、画像読取手段にて読み取りを完了したページの画像であって、第１のプレビュー表示手段にて未だプレビュー表示していない全ての画像を、第１のプレビュー表示手段にてプレビュー表示する画像のサイズよりも小さいサイズに縮小してプレビュー表示する。
【００３４】
上記画像読取装置において好ましくは、第２のプレビュー表示手段は、縮小してプレビュー表示する画像のサイズが所定サイズ以下となる場合には、画像を小さいサイズに縮小してプレビュー表示する代わりに、互いに重ねてプレビュー表示する。
【００３５】
本発明のさらに他の局面に従う画像読取装置は、複数のページよりなる原稿の画像を読み取る画像読取手段と、画像読取手段にて原稿の全ページの画像の読み取りを完了する前に、画像読取手段にて読み取りを完了したページの画像を読み取り順に表示部にプレビュー表示するリアルタイムプレビュー表示を行う第１のプレビュー表示手段と、画像読取手段による画像の読み取りを停止させる読取停止手段と、読取停止手段にて停止させた場合に、画像読取手段にて最後に読み取りを完了したページの画像を表示部にプレビュー表示する第２のプレビュー表示手段と、読取停止手段にて停止させた場合に、画像読取手段にて読み取りを完了したページの画像の中からのプレビュー表示する画像の選択を受け付ける、第２の画像選択受付手段とを備え、第２のプレビュー表示手段は、第２の画像選択受付手段にて選択を受け付けた画像を表示部にプレビュー表示するマニュアルプレビュー表示を行う。
上記画像読取装置において好ましくは、第２の画像選択受付手段にて選択を受け付けた画像の削除の指示を受け付ける削除受付手段と、削除受付手段にて削除を受け付けた画像のデータを削除する画像データ削除手段とをさらに備える。
上記画像読取装置において好ましくは、第２のプレビュー表示手段がマニュアルプレビュー表示を行っている場合に、原稿の画像の再読み込みの指示を受け付ける再読み込み受付手段と、再読み込み受付手段が指示を受け付けた場合に、原稿の画像を読み取る画像再読取手段とをさらに備え、画像再読取手段が原稿の画像の読み取りを開始した場合に、第１のプレビュー表示手段は、第２のプレビュー表示手段によるマニュアルプレビュー表示を停止させ、かつリアルタイムプレビュー表示を再開し、かつ画像再読取手段にて読み取った画像を画像読取手段にて読み取った画像の後にリアルタイムプレビュー表示する。
本発明のさらに他の局面に従う画像読取装置は、複数のページよりなる原稿の画像を読み取る画像読取手段と、画像読取手段にて原稿の全ページの画像の読み取りを完了する前に、画像読取手段にて読み取りを完了したページの画像を読み取り順に表示部にプレビュー表示するリアルタイムプレビュー表示を行う第１のプレビュー表示手段と、画像読取手段による画像の読み取りを停止させる読取停止手段と、読取停止手段にて停止させた場合に、画像読取手段にて最後に読み取りを完了したページの画像を表示部にプレビュー表示する第２のプレビュー表示手段とを備え、画像の読み取りを停止させるキーの押下を受け付けた時に読み取っていた画像の読み取りが完了した後で、第２のプレビュー表示手段は、表示部にプレビュー表示する画像を、第１のプレビュー表示手段にてプレビュー表示している画像から最後に読み取りを完了したページの画像に切り替える。
上記画像読取装置において好ましくは、第２のプレビュー表示手段は、最後に読み取りを完了したページの画像を他の画像よりも優先してプレビュー表示する。
【００３６】
本発明のさらに他の局面に従う画像読取装置の制御方法は、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、ユーザーからの指示を受け付ける指示受付ステップと、指示受付ステップにて指示を受け付けた場合に、画像読取ステップにおける画像の読み取りを停止させる読取停止ステップと、読取停止ステップにて停止させた場合に、画像読取ステップにおいて最後に読み取りを完了したページの画像を表示部にプレビュー表示する第２のプレビュー表示ステップとを備える。
本発明のさらに他の局面に従う画像読取装置の制御方法は、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップとを備え、読取停止ステップにて停止させた場合に、第２のプレビュー表示ステップにおいて、第１のプレビュー表示ステップにて未だ表示していないページのアイコンを表示部にさらに表示する。
本発明のさらに他の局面に従う画像読取装置の制御方法は、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップと、ユーザーからの指示を受け付ける指示受付ステップとを備え、指示受付ステップにて指示を受け付けた場合に、読取停止ステップにおいて画像の読み取りを停止させ、かつ第２のプレビュー表示ステップにおいて、表示部にプレビュー表示する画像を、第１のプレビュー表示ステップにて表示している画像から最後に読み取りを完了したページの画像に切り替える。
本発明のさらに他の局面に従う画像読取装置の制御方法は、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップと、第１のプレビュー表示ステップにおけるリアルタイムプレビュー表示と、画像読取ステップにおける画像の読み取りとの両方を停止させる指示を受け付ける全停止受付ステップとを備え、全停止受付ステップにて停止させる動作を受け付けた場合に、第２のプレビュー表示ステップにおいて、第１のプレビュー表示ステップによるリアルタイムプレビュー表示を停止させ、かつ第１のプレビュー表示ステップにて最後に表示した画像と、最後に読み取りを完了したページの画像との両方を同時にプレビュー表示する。
本発明のさらに他の局面に従う画像読取装置の制御方法は、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップとを備え、読取停止ステップにて停止させた場合に、第２のプレビュー表示ステップにおいて、第１のプレビュー表示ステップにて最後にプレビュー表示した画像と、最後に読み取りを完了したページの画像とを交互にプレビュー表示する。
本発明のさらに他の局面に従う画像読取装置の制御方法は、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップとを備え、読取停止ステップにて停止させた場合に、第２のプレビュー表示ステップにおいて、画像読取ステップにて読み取りを完了したページの画像であって、第１のプレビュー表示ステップにて未だプレビュー表示していない全ての画像を、第１のプレビュー表示ステップにてプレビュー表示する画像のサイズよりも小さいサイズに縮小してプレビュー表示する。
本発明のさらに他の局面に従う画像読取装置の制御方法は、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップと、読取停止ステップにて停止させた場合に、画像読取ステップにて読み取りを完了したページの画像の中からのプレビュー表示する画像の選択を受け付ける、第２の画像選択受付ステップとを備え、第２のプレビュー表示ステップにおいて、第２の画像選択受付ステップにて選択を受け付けた画像を表示部にプレビュー表示するマニュアルプレビュー表示を行う。
本発明のさらに他の局面に従う画像読取装置の制御方法は、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップとを備え、画像の読み取りを停止させるキーの押下を受け付けた時に読み取っていた画像の読み取りが完了した後で、第２のプレビュー表示ステップにおいて、表示部にプレビュー表示する画像を、第１のプレビュー表示ステップにてプレビュー表示している画像から最後に読み取りを完了したページの画像に切り替える。
【００３７】
本発明のさらに他の局面に従う画像読取装置の制御プログラムは、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、ユーザーからの指示を受け付ける指示受付ステップと、指示受付ステップにて指示を受け付けた場合に、画像読取ステップにおける画像の読み取りを停止させる読取停止ステップと、読取停止ステップにて停止させた場合に、画像読取ステップにおいて最後に読み取りを完了したページの画像を表示部にプレビュー表示する第２のプレビュー表示ステップとをコンピュータに実行させる。
本発明のさらに他の局面に従う画像読取装置の制御プログラムは、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップとをコンピューターに実行させ、読取停止ステップにて停止させた場合に、第２のプレビュー表示ステップにおいて、第１のプレビュー表示ステップにて未だ表示していないページのアイコンを表示部にさらに表示する。
本発明のさらに他の局面に従う画像読取装置の制御プログラムは、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップと、ユーザーからの指示を受け付ける指示受付ステップとをコンピューターに実行させ、指示受付ステップにて指示を受け付けた場合に、読取停止ステップにおいて画像の読み取りを停止させ、かつ第２のプレビュー表示ステップにおいて、表示部にプレビュー表示する画像を、第１のプレビュー表示ステップにて表示している画像から最後に読み取りを完了したページの画像に切り替える。
本発明のさらに他の局面に従う画像読取装置の制御プログラムは、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップと、第１のプレビュー表示ステップにおけるリアルタイムプレビュー表示と、画像読取ステップにおける画像の読み取りとの両方を停止させる指示を受け付ける全停止受付ステップとをコンピューターに実行させ、全停止受付ステップにて停止させる動作を受け付けた場合に、第２のプレビュー表示ステップにおいて、第１のプレビュー表示ステップによるリアルタイムプレビュー表示を停止させ、かつ第１のプレビュー表示ステップにて最後に表示した画像と、最後に読み取りを完了したページの画像との両方を同時にプレビュー表示する。
本発明のさらに他の局面に従う画像読取装置の制御プログラムは、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップとをコンピューターに実行させ、読取停止ステップにて停止させた場合に、第２のプレビュー表示ステップにおいて、第１のプレビュー表示ステップにて最後にプレビュー表示した画像と、最後に読み取りを完了したページの画像とを交互にプレビュー表示する。
本発明のさらに他の局面に従う画像読取装置の制御プログラムは、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップとをコンピューターに実行させ、読取停止ステップにて停止させた場合に、第２のプレビュー表示ステップにおいて、画像読取ステップにて読み取りを完了したページの画像であって、第１のプレビュー表示ステップにて未だプレビュー表示していない全ての画像を、第１のプレビュー表示ステップにてプレビュー表示する画像のサイズよりも小さいサイズに縮小してプレビュー表示する。
本発明のさらに他の局面に従う画像読取装置の制御プログラムは、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップと、読取停止ステップにて停止させた場合に、画像読取ステップにて読み取りを完了したページの画像の中からのプレビュー表示する画像の選択を受け付ける、第２の画像選択受付ステップとをコンピューターに実行させ、第２のプレビュー表示ステップにおいて、第２の画像選択受付ステップにて選択を受け付けた画像を表示部にプレビュー表示するマニュアルプレビュー表示を行う。
本発明のさらに他の局面に従う画像読取装置の制御プログラムは、複数のページよりなる原稿の画像を読み取る画像読取ステップと、画像読取ステップにて原稿の全ページの画像の読み取りを完了する前に、画像読取ステップにて読み取りを完了したページの画像を読み取り順に表示部にプレビュー表示するリアルタイムプレビュー表示を行う第１のプレビュー表示ステップと、画像読取ステップにおける画像の読み取りを停止させる読取停止ステップと、読取停止ステップにて停止させた場合に、画像読取ステップにて最後に読み取りを完了したページの画像を表示部にプレビュー表示する第２のプレビュー表示ステップとをコンピューターに実行させ、画像の読み取りを停止させるキーの押下を受け付けた時に読み取っていた画像の読み取りが完了した後で、第２のプレビュー表示ステップにおいて、表示部にプレビュー表示する画像を、第１のプレビュー表示ステップにてプレビュー表示している画像から最後に読み取りを完了したページの画像に切り替える。
【発明の効果】
【００３８】
本発明によれば、原稿の読み込みを効率的に行うことのできる画像読取装置、画像読取装置の制御方法、および画像読取装置の制御プログラムを提供することができる。
【図面の簡単な説明】
【００３９】
【図１】本発明の一実施の形態におけるＭＦＰ１００の構成を概念的に示す図である。
【図２】図１のＭＦＰ１００の構成を示すブロック図である。
【図３】図２に示す操作パネル８０の概観を示す図である。
【図４】リアルタイムプレビュー機能を設定して原稿の画像の読み取りを行っている状態で、画像の読み取りを停止させた場合に、操作パネル８０が表示する画像を概念的に説明する図である。
【図５】リアルタイムプレビュー機能を設定して原稿の画像の読み取りを行っている状態で、画像の読み取りを停止させた場合に、操作パネル８０が表示する画像の第１の表示形態を説明する図である。
【図６】リアルタイムプレビュー機能を設定して原稿の画像の読み取りを行っている状態で、画像の読み取りを停止させた場合に、操作パネル８０が表示する画像の第２の表示形態を説明する図である。
【図７】リアルタイムプレビュー機能を設定して原稿の画像の読み取りを行っている状態で、画像の読み取りを停止させた場合に、操作パネル８０が表示する画像の第３の表示形態を説明する図である。
【図８】リアルタイムプレビュー機能を設定して原稿の画像の読み取りを行っている状態で、画像の読み取りを停止させた場合に、操作パネル８０が表示する画像の第４の表示形態を説明する図である。
【図９】リアルタイムプレビュー機能を設定して原稿の画像の読み取りを行っている状態で、画像の読み取りを停止させた場合に、操作パネル８０が表示する画像の第５の表示形態を説明する図である。
【図１０】リアルタイムプレビュー機能を設定して原稿の画像の読み取りを行っている状態で、画像の読み取りを停止させた場合に、操作パネル８０が表示する画像の第６の表示形態を説明する図である。
【図１１】マニュアルプレビュー表示を行う場合の操作パネル８０の表示形態を模式的に示す図である。
【図１２】リアルタイムプレビュー機能を設定して原稿の画像の読み取りを含むジョブが実行された場合の、ＭＦＰ１００の動作を示す第１のフローチャートである。
【図１３】リアルタイムプレビュー機能を設定して原稿の画像の読み取りを含むジョブが実行された場合の、ＭＦＰ１００の動作を示す第２のフローチャートである。
【図１４】従来の画像読取装置において、リアルタイムプレビュー機能を設定して原稿の画像の読み取りを行っている場合に、画像の読み取りを停止させたときの、原稿の読み込みの停止位置と、画像読取装置に表示される画像の停止位置との一例を示す図である。
【発明を実施するための形態】
【００４０】
以下、本発明の一実施の形態について、図面に基づいて説明する。
【００４１】
本発明の一実施の形態においては、画像読取装置が画像形成装置である場合について説明する。画像形成装置は、電子写真方式や静電記録方式などによって画像形成を行うものであり、スキャナー機能、ファクシミリ機能、複写機能、プリンターとしての機能、データ通信機能、およびサーバ機能を備えたＭＦＰや、ファクシミリ装置、複写機、プリンターなどを含む。画像読取装置は、原稿の画像を読み取り可能なものであればよく、画像形成装置の他、スキャナーなどであってもよい。
【００４２】
始めに、本発明の一実施の形態におけるＭＦＰの構成について説明する。
【００４３】
図１は、本発明の一実施の形態におけるＭＦＰ１００の構成を概念的に示す図である。なお図１においては、ＭＦＰ１００の一部の構成が断面で示されている。
【００４４】
図１を参照して、本実施の形態における画像読取装置としてのＭＦＰ１００は、用紙搬送部１０と、トナー像形成部（プリンター部）２０と、定着部３０と、後処理部（後処理装置）４０と、スキャナー部５０と、流し込み型のＡＤＦ（自動原稿給送装置）６０とを主に備えている。ＭＦＰ１００の下部には、３段の給紙トレイ７１が配置されており、給紙トレイ７１の図１中右側には大容量の給紙トレイ７３が配置されている。プリント時には、給紙トレイ７１または７３に装てんされた用紙は、１枚ずつ用紙搬送部１０によって搬送経路１３に沿って搬送される。用紙は、用紙搬送部１０の給紙ローラー（第二給紙ローラー）１１などによってトナー像形成部２０へ搬送される。トナー像形成部２０は、感光体２１ａを含むイメージングユニット２１と、転写ローラー２２とを含んでいる。トナー像形成部２０は、イメージングユニット２１により感光体２１ａ上に形成したトナー像を、転写ローラー２２によって用紙に転写する。トナー像が転写された用紙は、次に定着部３０に搬送される。定着部３０は、加熱ローラー３１０と加圧ローラー３２０などを含んでいる。定着部３０は、トナー像が転写された用紙を、加熱ローラー３１０と加圧ローラー３２０とで挟みながら搬送し、その間に加熱および加圧を行う。これにより定着部３０は、用紙に付着したトナーを熱に溶融させて用紙に定着させる。定着部３０によってトナー像が定着された用紙は、搬送経路１２を経由して後処理部４０へ搬送される。その後用紙は、後処理部４０で必要な後処理が施された後で、排紙トレイ７５へ排出される。
【００４５】
トナー像形成部２０の上部にはスキャナー部５０が設けられており、その上には開閉可能なＡＤＦ６０が設けられている。ＡＤＦ６０を閉じた状態で原稿の読み込みを行う場合には、ＡＤＦ６０の給紙トレイ６１に原稿が積載される。給紙トレイ６１に積載された原稿は、ＡＤＦ６０内をスリットガラス（ＡＤＦ原稿読取用スリットガラス）５１へ搬送される。スキャナー部５０は、スリットガラス５１を通過する原稿の表面を読み取る。スリットガラス５１を通過した原稿は、必要に応じてＡＤＦ６０内の図示しないＣＩＳ（Ｃｏｎｔａｃｔ  Ｉｍａｇｅ  Ｓｅｎｓｏｒ）によりその裏面が読み取られ、排紙トレイ６２へ排出される。このように画像を読み取ることにより、ワンパスで（一回の通紙で）原稿の両面の画像を同時に読み取ることができる。またＡＤＦ６０を開いた状態で原稿の読み込みを行う場合には、スキャナー部５０は、プラテンガラス５２上に配置された原稿を読み取る。
【００４６】
ＭＦＰ１００は、外部機器２００とネットワーク２５０により接続されていてもよい。外部機器２００は、たとえばユーザーが所有するＰＣ（Ｐｅｒｓｏｎａｌ  Ｃｏｍｐｕｔｅｒ）であり、ＣＰＵ（中央演算処理装置）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、ＨＤＤ（Ｈａｒｄ  Ｄｉｓｋ  Ｄｒｉｖｅ）と、ネットワーク接続部と、表示部と、入力部などを備えている。外部機器２００はＰＣの他、携帯端末などであってもよい。
【００４７】
図２は、図１のＭＦＰ１００の構成を示すブロック図である。
【００４８】
図２を参照して、ＭＦＰ１００は、ＣＰＵ１０１と、画像読取部１０３と、画像処理部１０５と、画像形成部１０７と、画像出力部１０９と、ファクシミリ制御部１１１と、ネットワーク接続部１１３と、ＲＯＭ１２１と、ＲＡＭ１２３と、ＨＤＤ１２５と、読取停止部１２７と、操作パネル（操作部）８０とを備えている。
【００４９】
画像読取部１０３は原稿の画像を読み取る。画像処理部１０５は画像データに対して処理を行なう。画像形成部１０７は画像処理部１０５にて処理された画像データに基づいて用紙などに画像を形成する。画像出力部１０９は画像データなどの出力処理を制御する。ファクシミリ制御部１１１は通信回線を通して画像データを送信する。ネットワーク接続部１１３はＭＦＰ１００と外部機器２００との接続を制御する。ＲＯＭ１２１は、ＭＦＰ１００の制御プログラムなどを保存する。ＲＡＭ１２３は、画像読取部１０３にて読み取った画像などのデータを一時的に記憶する。ＨＤＤ１２５は、各種データを保存し、データの書き換えが可能である。読取停止部１２７は、画像読取部１０３による画像の読み取りを停止させる。操作パネル８０は、ユーザーからＭＦＰ１００の操作を受け付けたり、ユーザーへの各種情報の表示を行ったりする。
【００５０】
ＣＰＵ１０１を中心に、各モジュールが通信および制御信号に基づいて制御される。ＣＰＵ１０１は、画像読取部１０３、画像処理部１０５、画像形成部１０７、画像出力部１０９、ファクシミリ制御部１１１、ネットワーク接続部１１３、ＲＯＭ１２１、ＲＡＭ１２３、ＨＤＤ１２５、読取停止部１２７、および操作パネル８０の各々と、通信または信号の送受信を実施することで、ＭＦＰ１００全体を制御する。
【００５１】
図３は、図２に示す操作パネル８０の概観を示す図である。
【００５２】
図３を参照して、操作パネル８０は、各種設定項目やメッセージなどを表示し、かつユーザーから各種設定を受け付けるタッチパネル８１と、ＭＦＰ１００のファックス機能またはスキャン機能を利用する際に押下されるファックス／スキャンキー８３と、リアルタイムプレビュー機能を設定する際に押下されるプレビューキー８４と、各機能のジョブの実行を受け付けるスタートキー８５と、実行中のジョブの停止を受け付けるストップキー８６と、各種数値の入力を受け付けるテンキー８７などを含んでいる。
【００５３】
リアルタイムプレビュー表示を設定して画像の読み取りを行っている場合、ストップキー８６は、操作パネル８０でのリアルタイムプレビュー表示を継続させつつ画像読取部１０３による画像の読み取りの停止を受け付けるものであってもよいし、画像読取部１０３による画像の読み取りの停止と、操作パネル８０でのリアルタイムプレビュー表示の停止との両方を受け付けるものであってもよい。
【００５４】
ＭＦＰ１００はリアルタイムプレビュー機能を持つ。リアルタイムプレビュー機能が設定された場合、操作パネル８０はリアルタイムプレビュー表示を行う。
【００５５】
リアルタイムプレビュー表示とは、画像読取部１０３にて原稿の全ページの画像の読み取りを完了する前に、画像読取部１０３にて読み取りを完了したページの画像を読み取り順に表示部（ここでは操作パネル８０のタッチパネル８１）にプレビュー表示する表示方法である。操作パネル８０は、たとえば、一定時間間隔で読み取り順に１枚ずつプレビュー画像を表示する。リアルタイムプレビュー表示の際、操作パネル８０は、画像読取部１０３にて原稿の１ページの画像を読み取る毎に、読み取った画像をプレビュー表示してもよい。リアルタイムプレビュー機能を利用することにより、ユーザーは、原稿読み込み動作を行いながらリアルタイムに読み取り画像のプレビュー表示による確認を行うことができる。
【００５６】
ＭＦＰ１００は、リアルタイムプレビュー機能が設定された状態で、複数のページよりなる原稿のコピージョブ、スキャンジョブ、またはファイル転送ジョブなどのジョブの実行指示をユーザーから受け付けた場合に、画像読取部１０３で原稿の画像を読み取り、リアルタイムプレビュー表示を行う。読取停止部１２７が画像の読み取りを停止させた場合に、操作パネル８０は、画像読取部１０３で最後に読み取りを完了したページの画像をタッチパネル８１にプレビュー表示にする。
【００５７】
続いて、リアルタイムプレビュー機能を設定して原稿の画像の読み取りを行っている状態で、画像の読み取りを停止させた場合のＭＦＰ１００の動作について説明する。
【００５８】
図４は、リアルタイムプレビュー機能を設定して原稿の画像の読み取りを行っている状態で、画像の読み取りを停止させた場合に、操作パネル８０が表示する画像を概念的に説明する図である。
【００５９】
図４を参照して、たとえば１〜１３ページよりなる原稿の読み込みをＭＦＰ１００が行っている状態で、７ページが読み込まれた時にユーザーが原稿の異常に気づいて、８ページの読み込みを行っている時にストップキー８６を押下した場合を想定する。この場合、読取停止部１２７は、８ページの原稿の読み込みを完了した時点で画像の読み取りを停止させる。その結果、原稿の１〜８ページの読み込みが完了し、かつ原稿の９〜１３ページの読み込みが完了していない状態となる。
【００６０】
操作パネル８０は、読み込み停止時のプレビュー表示をリアルタイムプレビュー表示とは異なるページまたは表示形態とする。すなわち、操作パネル８０は、ストップキー８６が押下されると、画像読取部１０３にて最後に読み取りを完了したページの画像を、他のページの画像よりも優先的にプレビュー表示する。図４の場合には８ページの画像が優先的にプレビュー表示される。原稿の４〜７ページについては、読み込みが完了しているがリアルタイムプレビュー表示されていない状態となる。
【００６１】
ストップキー８６が画像読取部１０３による画像の読み取りの停止のみを受け付けるものである場合、読取停止部１２７は、リアルタイムプレビュー表示を継続させつつ画像の読み取りを停止させる。この場合、操作パネル８０は、画像読取部１０３にて最後に読み取りを完了したページの画像を一定時間プレビュー表示した後で、読み取り停止時にリアルタイムプレビュー表示していた画像からリアルタイムプレビュー表示を再開する。つまり、８ページの画像を一定時間プレビュー表示した後で、３ページの画像からリアルタイムプレビュー表示を再開する。
【００６２】
ストップキー８６が画像読取部１０３による画像の読み取りの停止と、リアルタイムプレビュー表示の停止との両方を受け付けるものである場合、読取停止部１２７は、画像の読み取りとともにリアルタイムプレビュー表示も停止させる。この場合には、操作パネル８０は、画像読取部１０３にて最後に読み取りを完了したページの画像を表示した状態で停止する。つまり、８ページの画像をプレビュー表示した状態でプレビュー表示を停止する。
【００６３】
操作パネル８０は、ストップキー８６が押下された時に読み取っていた画像（８ページの画像）の読み取りが完了した後で、プレビュー表示する画像を、リアルタイムプレビュー表示にてプレビュー表示している画像（３ページの画像）から、画像読取部１０３にて最後に読み取りを完了したページの画像（８ページの画像）に切り替えてもよい。
【００６４】
図５〜図１１は、リアルタイムプレビュー機能を設定して原稿の画像の読み取りを行っている状態で、画像の読み取りを停止させた場合に、操作パネル８０が表示する画像の表示形態を説明する図である。
【００６５】
なお、以降の図５〜図１１においては、特に説明が無い限り、８ページの読み込みを行っており、かつ３ページの画像をリアルタイムプレビュー表示している時に、ストップキー８６を押下した場合の表示形態を示している。また、説明の便宜のため、各画像およびアイコンにはページ番号が付されている。
【００６６】
図５の表示形態では、読み取り停止時にリアルタイムプレビュー表示していた画像（（ａ））から、最後に読み取りを完了したページの画像（（ｂ））へ、プレビュー表示する画像が切り替えられる。（ｂ）では、最後に読み取りを完了したページの画像のみがプレビュー表示されている。
【００６７】
なお、原稿のプレビュー画像とともに、ジョブを中止する（破棄する）ためのキー９４が表示されてもよい。キー９４が押下された場合には、画像読取部１０３はジョブを破棄し、画像データをＲＡＭ１２３から消去する。また操作パネル８０は、プレビュー表示を中止し、たとえばメインメニューの表示へ戻る。
【００６８】
画像の読み込みが停止された状態で、スタートキー８５の押下を受け付けた場合には、ＭＦＰ１００は、原稿の画像の読み込みを再開させてもよい。画像の読み込みとともにリアルタイムプレビュー表示も停止している場合には、リアルタイムプレビュー表示も再開させてもよい。
【００６９】
図５の表示形態は、特に、ストップキー８６の押下により読取停止部１２７がリアルタイムプレビュー表示を継続させつつ画像の読み取りを停止させる場合のものであることが好ましい。もちろん、ストップキー８６の押下により読取停止部１２７が画像の読み取りとともにリアルタイムプレビュー表示も停止させる場合のものであってもよい。
【００７０】
図６の表示形態では、未だリアルタイムプレビュー表示されていないページのアイコンＩＣが、最後に読み取りを完了したページのプレビュー画像とともに操作パネル８０に表示される。図６では４ページ、５ページ、６ページ、および７ページを示すアイコンＩＣが表示されている。
【００７１】
アイコンＩＣは、所定のイラストである場合の他、未だリアルタイムプレビュー表示されていない画像のプレビュー画像であって、最後に読み取りを完了したページのプレビュー画像よりも小さいサイズの画像であってもよい。アイコンＩＣをタッチパネル８１に表示することで、最後に読み取りを完了したページと他のページとの位置関係をユーザーは容易に把握することができる。未だリアルタイムプレビュー表示されていない画像のアイコンのみならず、読み込みを完了した全ページの画像のアイコンが表示されてもよい。
【００７２】
図７の表示形態では、読み取り停止時にリアルタイムプレビュー表示していた画像（最後にリアルタイムプレビューした画像）と、最後に読み取りを完了したページの画像との両方が、同時にプレビュー表示される。これによりユーザーは、読み取り停止時においても、リアルタイムプレビュー表示していた画像とともに最後に読み取りを完了したページの画像の仕上がりを確認することができる。
【００７３】
図７の表示形態の場合に、同時に表示される２つの画像のうち一方の選択を、タッチパネル８１を通じてユーザーから受け付けてもよい。この場合、操作パネル８０は、２つの画像を同時に表示することを停止し、選択を受け付けた方の画像のみをプレビュー表示し続ける。操作パネル８０は、選択を受け付けなかった方の画像をタッチパネル８１上から消去する。たとえば図７において、８ページの画像が選択された場合、操作パネル８０は、図５（ｂ）に示すように８ページの画像のみをプレビュー表示する。
【００７４】
図８の表示形態では、読み取り停止時にリアルタイムプレビュー表示していた画像と、最後に読み取りを完了したページの画像とが、たとえば一定時間おきに交互にプレビュー表示される。読み取り停止時にリアルタイムプレビュー表示していた画像と、最後に読み取りを完了したページの画像とは、一定時間おきに交互に表示されてもよいし、いずれか一方の画像が他方の画像よりも長時間表示されてもよい。これによりユーザーは、読み取り停止時においても、リアルタイムプレビュー表示していた画像とともに最後に読み取りを完了したページの画像の仕上がりを確認することができる。
【００７５】
図８の表示形態の場合に、交互に表示される２つの画像のうち一方の選択を、タッチパネル８１を通じてユーザーから受け付けてもよい。この場合、操作パネル８０は、２つの画像を交互にプレビュー表示することを停止し、選択を受け付けた方の画像のみを表示し続ける。たとえば図８において、８ページの画像（（ｂ）の画像）が選択された場合、操作パネル８０は、図５（ｂ）に示すように８ページの画像のみをプレビュー表示する。
【００７６】
なお、図７または図８の表示形態において、未だリアルタイムプレビュー表示されていないページのアイコンＩＣが、プレビュー画像とともに表示されてもよい。
【００７７】
図９の表示形態では、画像読取部１０３が読み取りを完了したページの画像であって、未だリアルタイムプレビュー表示していない全ての画像を、リアルタイムプレビュー表示の際のプレビュー画像のサイズよりも小さいサイズに縮小してプレビュー表示する。
【００７８】
図９では、画像読取部１０３が読み取りを完了した１〜８ページのうち、未だリアルタイムプレビュー表示していない３〜８ページの画像がプレビュー表示されている。３ページの画像は表示されなくてもよい。縮小されたプレビュー画像の配列方法は任意である。
【００７９】
図９の表示形態において、縮小してプレビュー表示する画像のサイズが所定サイズ以下となる場合には、ユーザーはプレビュー画像が小さすぎて画像の仕上がり状態を確認することができないおそれがある。このような場合、操作パネル８０は、画像読取部１０３が読み取りを完了したページの画像であって、未だリアルタイムプレビュー表示していない全ての画像を、小さいサイズに縮小してプレビュー表示する代わりに、互いに重ねてプレビュー表示してもよい。
【００８０】
図１０を参照して、たとえば、１〜３０ページよりなる原稿について、２６ページの読み込みを行っており、かつ３ページの画像をリアルタイムプレビュー表示している時に、ストップキー８６が押下された場合を想定する。この場合、図９の表示形態を採用した場合には、図１０（ａ）に示すように、３〜２６ページの画像が、リアルタイムプレビュー表示の際のプレビュー画像のサイズよりも小さいサイズに縮小してプレビュー表示される。この場合、プレビュー画像の枚数が多すぎてプレビュー画像が非常に小さくなる。このため、操作パネル８０は、図１０（ｂ）に示すように、３〜２６ページの画像を互いに重ねてプレビュー表示する。３〜２６ページの画像は、リアルタイムプレビュー表示の際のプレビュー画像のサイズと同じであってもよいし、それより小さくてもよい。
【００８１】
タッチパネル８１を通じて任意のページの画像の押下を受け付けた場合には、操作パネル８０は、その画像を最上面に表示する。また、タッチパネル８１を通じて任意のページの画像がドラッグされた場合には、操作パネル８０はユーザーの指の動きに従ってその画像をタッチパネル８１内で移動させる。
【００８２】
図６〜図１０の表示形態は、特に、ストップキー８６の押下により読取停止部１２７が画像の読み取りとともにリアルタイムプレビュー表示も停止させる場合のものであることが好ましい。もちろん、ストップキー８６の押下により読取停止部１２７がリアルタイムプレビュー表示を継続させつつ画像の読み取りを停止させる場合のものであってもよい。
【００８３】
図５〜図１０のうちいずれの表示形態を採用するかに関する設定は、原稿の読み込み前またはリアルタイムプレビュー表示前に、操作パネル８０などを通じてユーザーから受け付けてもよい。また、ＭＦＰ１００の管理者によって初期設定されていてもよい。この設定に関する情報は、たとえばＲＯＭ１２１やＲＡＭ１２３などに記憶されてもよい。
【００８４】
さらに、図５〜図１０の表示形態でプレビュー表示を行ってから一定時間が経過した場合には、操作パネル８０は、画像読取部１０３にて読み取りを完了した全ページの画像の中から、プレビュー表示する画像の選択を受け付け、選択を受け付けた画像をプレビュー表示してもよい。以降、このプレビュー表示方法をマニュアルプレビュー表示と呼ぶことがある。
【００８５】
図１１は、マニュアルプレビュー表示を行う場合の操作パネル８０の表示形態を模式的に示す図である。なお図１１は、図５（ｂ）に示す表示形態において、マニュアルプレビュー表示が行われた場合の表示形態を示している。
【００８６】
図１１を参照して、マニュアルプレビュー表示では、プレビュー画像とともにキー９１〜９３が表示される。操作パネル８０は、画像読取部１０３にて読み取りを完了したページの画像の中から、プレビュー表示する画像の選択を受け付ける。操作パネル８０は、選択を受け付けた画像をプレビュー表示する。
【００８７】
操作パネル８０は、キー９１または９３を通じてプレビュー表示する画像の選択を受け付ける。具体的には、キー９１が押下された場合には、操作パネル８０は、現在表示しているページの前のページのプレビュー画像を、キー９１〜９３とともに表示する。キー９３が押下された場合には、操作パネル８０は、現在表示しているページの次のページのプレビュー画像を、キー９１〜９３とともに表示する。図１１では、８ページのプレビュー画像が表示された状態から、キー９１が５回押下された結果、３ページのプレビュー画像が表示された状態を示している。
【００８８】
キー９２は、選択を受け付けた画像の削除の指示を受け付けるキーである。操作パネル８０は、キー９２が押下された場合には、プレビュー表示している画像のデータをＲＡＭ１２３から削除する。これによりユーザーは、異常を発見したページの画像を部分的に削除することができる。
【００８９】
操作パネル８０は、図１１に示すようなマニュアルプレビュー表示を行っている場合に、原稿の画像の再読み込みの指示を受け付け、画像読取部１０３は指示に従って原稿の画像（たとえば７ページ〜１３ページの画像）の再読み取りを行ってもよい。再読み込みの指示は、たとえばスタートキー８５を通じて受け付けてもよい。画像読取部１０３が原稿の画像の読み取りを開始した場合に、操作パネル８０は、マニュアルプレビュー表示を停止させ、リアルタイムプレビュー表示を再開させてもよい。リアルタイムプレビュー表示を再開させる際、操作パネル８０は、再読み取りを行った画像（７ページ〜１３ページの画像）を、最初に読み取った画像（４ページ〜１３ページの画像）の後に追加してリアルタイムプレビュー表示してもよい。
【００９０】
図１２および図１３は、リアルタイムプレビュー機能を設定して原稿の画像の読み取りを含むジョブが実行された場合の、ＭＦＰ１００の動作を示すフローチャートである。
【００９１】
図１２を参照して、ＭＦＰ１００のＣＰＵ１０１は、ジョブを開始し（Ｓ１）、原稿の画像の読み取りおよびリアルタイムプレビュー表示を開始する。ジョブは、画像の読み取りを含むジョブであればよく、たとえばコピー、ファクシミリ送信、インターネット通信を利用した送信、またはＭＦＰ１００の記憶部（ＨＤＤ１２５など）への保存などである。
【００９２】
次にＣＰＵ１０１は、ストップキー８６（停止釦）が押下されたか否かを判別する（Ｓ３）。ステップＳ３において、ストップキー８６が押下されたと判別した場合、ＣＰＵ１０１は、リアルタイムプレビュー表示を停止する（Ｓ５）。続いてＣＰＵ１０１は、停止後（ストップキー８６が押下された後）の最後の原稿の読み込みが完了したか否かを判別する（Ｓ７）。ステップＳ７において、最後の原稿の読み込みが完了したと判別するまで、ＣＰＵ１０１はステップＳ７の判別処理を繰り返す。
【００９３】
ステップＳ７において、最後の原稿の読み込みが完了したと判別した場合（Ｓ７でＹＥＳ）、ＣＰＵ１０１は、読み込みが完了しているがリアルタイムプレビュー表示されていないページがあるか否かを判別する（Ｓ９）。
【００９４】
ステップＳ９において、そのようなページが無いと判別した場合（Ｓ９でＮＯ）。ＣＰＵ１０１は、操作パネル８０による表示形態をマニュアルプレビュー表示（図１１の表示形態）に切り替え（Ｓ１１）、ジョブが再開されたか（画像の読み取りおよびリアルタイムプレビュー表示が再開されたか）否かを判別する（Ｓ１３）。
【００９５】
ステップＳ１３において、再開されたと判別した場合（Ｓ１３でＹＥＳ）、ＣＰＵ１０１はステップＳ１の処理へ進み、ジョブを再開する（Ｓ１）。一方、ステップＳ１３において、再開されないと判別した場合（Ｓ１３でＮＯ）、ＣＰＵ１０１はジョブの中止（破棄）を受け付けたか（ストップキー８６やキー９４が押下されたか）否かを判別する（Ｓ１５）。
【００９６】
ステップＳ１５において、ジョブの中止を受け付けたと判別した場合（Ｓ１５でＹＥＳ）、ＣＰＵ１０１はジョブを破棄し（Ｓ１７）、処理を終了する。一方、ステップＳ１５において、ジョブの中止を受け付けないと判別した場合（Ｓ１５でＮＯ）、ＣＰＵ１０１はステップＳ１３の処理へ進み、ジョブが再開されたか否かを判別する（Ｓ１３）。
【００９７】
ステップＳ３において、ストップキー８６が押下されないと判別した場合、ＣＰＵ１０１は、ジョブが終了したか否かを判別する（Ｓ４）。ステップＳ４において、ジョブが終了したと判別した場合（Ｓ４でＹＥＳ）、ＣＰＵ１０１は処理を終了する。一方、ステップＳ４において、ジョブが未だ終了していないと判別した場合（Ｓ４でＮＯ）、ＣＰＵ１０１はステップＳ３の処理へ進む。
【００９８】
ステップＳ９において、そのようなページがあると判別した場合（Ｓ９でＹＥＳ）。ＣＰＵ１０１は、以降の処理において、図５〜図１０のうちいずれの表示形態が設定されているかを特定し、特定した表示形態で最後に読み取りを完了したページの画像をプレビュー表示する。この場合ＣＰＵ１０１は、設定されている表示形態が、最後に読み取りを完了したページの画像のみをプレビュー表示する表示形態（図５（ｂ）の表示形態）であるか否かを判別する（Ｓ２１）。
【００９９】
ステップＳ２１において、設定されている表示形態が、最後に読み取りを完了したページの画像のみをプレビュー表示する表示形態であると判別した場合（Ｓ２１でＹＥＳ）、ＣＰＵ１０１は、最後に読み取りを完了したページの画像のみに、プレビュー表示する画像を変更する（Ｓ２３）。次にＣＰＵ１０１は、未だリアルタイムプレビュー表示されていないページのアイコンＩＣの表示が設定されているか（図６の表示形態が設定されているか）否かを判別する（Ｓ２５）。
【０１００】
ステップＳ２５において、アイコンＩＣの表示が設定されていると判別した場合（Ｓ２５でＹＥＳ）、ＣＰＵ１０１は、アイコンＩＣをプレビュー画像に付加して表示し（Ｓ２７）、たとえば一定時間経過後、ステップＳ１１の処理へ進む。一方、ステップＳ２５において、アイコンＩＣの表示が設定されていないと判別した場合（Ｓ２５でＮＯ）、ＣＰＵ１０１は、たとえば一定時間経過後、ステップＳ２７の処理を経ずにステップＳ１１の処理へ進む。
【０１０１】
ステップＳ２１において、設定されている表示形態が、最後に読み取りを完了したページの画像のみをプレビュー表示する表示形態でないと判別した場合（Ｓ２１でＮＯ）、ＣＰＵ１０１は図１３に示すステップＳ４１の処理へ進む。
【０１０２】
図１３を参照して、ステップＳ４１においてＣＰＵ１０１は、設定されている表示形態が、読み取り停止時にリアルタイムプレビュー表示していた画像と、最後に読み取りを完了したページの画像との両方が同時にプレビュー表示される表示形態（図７の表示形態）であるか否かを判別する（Ｓ４１）。
【０１０３】
ステップＳ４１において、設定されている表示形態が、２つの画像の両方が同時にプレビュー表示される表示形態であると判別した場合（Ｓ４１でＹＥＳ）、ＣＰＵ１０１は、読み取り停止時にリアルタイムプレビュー表示していた画像（現在のプレビュー表示ページ）と、最後に読み取りを完了したページの画像（最後の画像のプレビュー表示）との両方を同時にプレビュー表示する（Ｓ４３）。続いてＣＰＵ１０１は、ステップＳ４５の処理へ進む。一方、ステップＳ４１において、設定されている表示形態が、２つの画像の両方が同時にプレビュー表示される表示形態でないと判別した場合（Ｓ４１でＮＯ）、ＣＰＵ１０１は、設定されている表示形態が、リアルタイムプレビュー表示していた画像と、最後に読み取りを完了したページの画像とが交互にプレビュー表示される表示形態（図８の表示形態）であったか否かを判別する（Ｓ６１）。
【０１０４】
ステップＳ６１において、設定されている表示形態が、２つの画像が交互にプレビュー表示される表示形態であったと判別した場合（Ｓ６１でＹＥＳ）、ＣＰＵ１０１は、読み取り停止時にリアルタイムプレビュー表示していた画像（現在のプレビュー表示ページ）と、最後に読み取りを完了したページの画像（最後の画像のプレビュー表示）とを交互にプレビュー表示する（Ｓ６２）。続いてＣＰＵ１０１は、ステップＳ４５の処理へ進む。
【０１０５】
ステップＳ４５において、ＣＰＵ１０１は、交互または同時に表示される２つの画像のうち一方の選択を、タッチパネル８１を通じて受け付けたか（ユーザーがプレビュー画像にタッチしたか）否かを判別する（Ｓ４５）。
【０１０６】
ステップＳ４５において、選択を受け付けたと判別した場合（Ｓ４５でＹＥＳ）、ＣＰＵ１０１は、２つの画像を交互または同時にプレビュー表示することを中止し、選択を受け付けた画像のみをプレビュー表示する（Ｓ４７）。次にＣＰＵ１０１は、未だリアルタイムプレビュー表示されていないページのアイコンＩＣの表示が設定されているか否かを判別する（Ｓ４９）。
【０１０７】
ステップＳ４９において、アイコンＩＣの表示が設定されていると判別した場合（Ｓ４９でＹＥＳ）、ＣＰＵ１０１は、アイコンＩＣをプレビュー画像に付加して表示し（Ｓ５１）、たとえば一定時間経過後、図１２に示すステップＳ１１の処理へ進む。一方、ステップＳ４９において、アイコンＩＣの表示が設定されていないと判別した場合（Ｓ４９でＮＯ）、ＣＰＵ１０１は、たとえば一定時間経過後、ステップＳ５１の処理を経ずに図１２に示すステップＳ１１の処理へ進む。
【０１０８】
ステップＳ６１において、設定されている表示形態が、２つの画像が交互にプレビュー表示される表示形態でないと判別した場合（Ｓ６１でＮＯ）、ＣＰＵ１０１は、設定されている表示形態が、読み取りを完了したページの画像であって、未だリアルタイムプレビュー表示していない全ての画像を小さいサイズでプレビュー表示する表示形態（図９の表示形態）であったか否かを判別する（Ｓ６３）。
【０１０９】
ステップＳ６３において、設定されている表示形態が小さいサイズでプレビュー表示する表示形態であったと判別した場合（Ｓ６３でＹＥＳ）、ＣＰＵ１０１は、縮小してプレビュー表示する画像のサイズが所定サイズ以下となるか否かを判別する（Ｓ６５）。一方、ステップＳ６３において、設定されている表示形態が小さいサイズでプレビュー表示する表示形態でないと判別した場合（Ｓ６３でＮＯ）、ＣＰＵ１０１は図１２のステップＳ１１の処理へ進む。
【０１１０】
ステップＳ６５において、縮小してプレビュー表示する画像のサイズが所定サイズ以下となると判別した場合（Ｓ６５でＹＥＳ）、ＣＰＵ１０１は、縮小表示を止め、読み取りを完了したページの画像であって、未だリアルタイムプレビュー表示していない全ての画像を、互いに重ねてプレビュー表示する（図１０の表示形態で表示する）（Ｓ６７）。その後ＣＰＵ１０１は、たとえば一定時間経過後、図１２のステップＳ１１の処理へ進む。
【０１１１】
ステップＳ６５において、縮小してプレビュー表示する画像のサイズが所定サイズより大きいと判別した場合（Ｓ６５でＮＯ）、ＣＰＵ１０１は、読み取りを完了したページの画像であって、未だリアルタイムプレビュー表示していない全ての画像を、タッチパネル８１のプレビュー表示エリアに表示可能なサイズに縮小して表示する（図９の表示形態で表示する）（Ｓ６９）。その後ＣＰＵ１０１は、たとえば一定時間経過後、図１２のステップＳ１１の処理へ進む。
【０１１２】
［実施の形態の効果］
上述の実施の形態によれば、リアルタイムプレビュー表示を行っている状態（リアルタイムプレビュー動作中）での読み込み異常発見による停止処理において、異常ページのプレビュー表示による画像確認を効率よく行うことができる。その結果、原稿の読み込みを効率的に行うことができる。また、作業ミスや機械異常などを早期に発見および確認することができる。
【０１１３】
［その他］
上述のようにストップキーが押下された場合の他、たとえばジャムの発生などにより読み取りを停止した場合などにも、読取停止部は画像の読み取りを停止させ、操作パネルは画像読取手段にて最後に読み取りを完了したページの画像をプレビュー表示してもよい。
【０１１４】
図５〜図１１に示す操作パネルの表示形態は一例であり、これら以外の表示形態が採用されてもよい。また、図５〜図１１のうち一部の表示形態のみが採用されてもよい。また、ＭＦＰの操作パネルは表示部の一例であり、たとえば画像読取装置と接続された外部機器におけるモニターなどが表示部であってもよい。
【０１１５】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピュータにより実行される。また、プログラムはインターネットなどの通信回線を介して、装置にダウンロードするようにしてもよい。
【０１１６】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１７】
１０  用紙搬送部
１１  給紙ローラー
１２，１３  搬送経路
２０  トナー像形成部
２１  イメージングユニット
２１ａ  感光体
２２  転写ローラー
３０  定着部
４０  後後処理部
５０  スキャナー部
５１  スリットガラス
５２  プラテンガラス
６０  ＡＤＦ
６１，７１，７３  給紙トレイ
６２，７５  排紙トレイ
８０  操作パネル
８１  タッチパネル
８３  スキャンキー
８４  プレビューキー
８５  スタートキー
８６  ストップキー
８７  テンキー
９１，９２，９３，９４  キー
１００  ＭＦＰ
１０１  ＣＰＵ
１０３  画像読取部
１０５  画像処理部
１０７  画像形成部
１０９  画像出力部
１１１  ファクシミリ制御部
１１３  ネットワーク接続部
１２１  ＲＯＭ
１２３  ＲＡＭ
１２５  ＨＤＤ
１２７  読取停止部
２００  外部機器
２５０  ネットワーク
３１０  加熱ローラー
３２０  加圧ローラー
ＩＣ  アイコン
【図１】
0005760719.tif 000002
【図２】
0005760719.tif 000003
【図３】
0005760719.tif 000004
【図４】
0005760719.tif 000005
【図５】
0005760719.tif 000006
【図６】
0005760719.tif 000007
【図７】
0005760719.tif 000008
【図８】
0005760719.tif 000009
【図９】
0005760719.tif 000010
【図１０】
0005760719.tif 000011
【図１１】
0005760719.tif 000012
【図１２】
0005760719.tif 000013
【図１３】
0005760719.tif 000014
【図１４】
0005760719.tif 000015